(57)【要約】【課題】首元を見苦しくすることなく、着用しているブラジャーが他人から見られる虞れを解消することができるアンダーガード付シャツの提供を課題とする。【解決手段】女性Ｗが着用しているＴシャツＡは、女性Ｗの首が通る上部開口部１１と女性Ｗの腕が通る側部開口部１２とを有するシャツ部１０と、このシャツ部に縫合されている袖部１３とによって構成されている。シャツ部１０の内側には、布製のアンダーガード２０が配設されている。このアンダーガード２０には、シャツ部１０と同型な上部開口部２１と側部開口部２２とが形成されている。アンダーガード２０の上部開口部２１の周縁部は、シャツ部１０の上部開口部１１の周縁部に縫合されており、アンダーガード２０の側部開口部２２の周縁部はシャツ部１０の側部開口部１２の周縁部に縫合されている。女性Ｗのアンダーバスト部に位置するアンダーガード２０の下端部には、伸縮部２３が設けられている。【選択図】  図３
0003104140.tif 000002
【実用新案登録請求の範囲】
【請求項１】
シャツと同型な使用者の首を通す上部開口部と前記シャツと同型な前記使用者の腕を通
す側部開口部とが形成され、前記シャツのアンダーバスト部までの丈を有する前記シャツ
の内側に配設される布製のアンダーガードであって、当該アンダーガードの前記上部開口
部の周縁部が前記シャツの上部開口部の周縁部に縫合され、前記アンダーガードの前記側
部開口部の周縁部が前記シャツの側部開口部の周縁部に縫合されたアンダーガードを具備
することを特徴とするアンダーガード付シャツ。
【請求項２】
前記アンダーガードの下端部には、当該下端部に形成されている開口部の周囲に沿って
伸縮自在な伸縮部が形成されていることを特徴とする請求項１に記載のアンダーガード付
シャツ。
【請求項３】
前記伸縮部は、前記アンダーガードの下端部に配設された平ゴムにより形成されている
ことを特徴とする請求項２に記載のアンダーガード付シャツ。
【請求項４】
前記シャツは、前記側部開口部の周縁部に、その周縁部が縫合されている袖部を有する
Ｔシャツであることを特徴とする請求項１ないし３のいずれかの項に記載のアンダーガー
ド付シャツ。
【請求項５】
前記シャツは、タンクトップであることを特徴とする請求項１ないし３のいずれかの項
に記載のアンダーガード付シャツ。
【請求項６】
前記シャツは、キャミソールであることを特徴とする請求項１ないし３のいずれかの項
に記載のアンダーガード付シャツ。
【考案の詳細な説明】
【技術分野】
【０００１】
本考案は、シャツの内側に布製のアンダーガードが配設されているアンダーガード付シ
ャツに関するものである。
【背景技術】
【０００２】
図５は、ＴシャツＡを着用している女性Ｗを示した斜視図である。このようなＴシャツ
Ａを着用した場合、下側に着用しているブラジャーＢが透けて見えてしまうことがある。
【０００３】
ブラジャーＢが透けて見えてしまう場合、他人の視線が気になるときには、使用者であ
る女性Ｗの多くは、通常、図６に示したように着用するＴシャツＡの下側にもう１枚のＴ
シャツＧを視線のガード用に着用している。
【考案の開示】
【考案が解決しようとする課題】
【０００４】
このように他人の視線のガード用にＴシャツを重ね着した場合には、図７に示すように
、上側に着ているＴシャツＡの首元から下側に着ているＴシャツＧが露呈して首元が見苦
しくなってしまうことがあり、このことが使用者である女性Ｗの新たな問題となっていた
。
【課題を解決するための手段】
【０００５】
以上の問題を解決するために、本考案は、シャツと同型な使用者の首を通す上部開口部
と前記シャツと同型な前記使用者の腕を通す側部開口部とが形成され、前記シャツのアン
ダーバスト部までの丈を有する前記シャツの内側に配設される布製のアンダーガードであ
って、当該アンダーガードの前記上部開口部の周縁部が前記シャツの上部開口部の周縁部
に縫合され、前記アンダーガードの前記側部開口部の周縁部が前記シャツの側部開口部の
周縁部に縫合されたアンダーガードを具備することを特徴とするものである。
【０００６】
ここで、前記アンダーガードの下端部には、当該下端部に形成されている開口部の周囲
に沿って伸縮自在な伸縮部が形成してもよく、さらに前記伸縮部は、前記アンダーガード
の下端部に配設された平ゴムにより形成してもよい。
【０００７】
なお、前記シャツは、前記側部開口部の周縁部に、その周縁部が縫合されている袖部を
有するＴシャツであってもよく、また、前記シャツは、タンクトップであってもよく、前
記シャツは、キャミソールであってもよい。
【考案の効果】
【０００８】
本考案によれば、首元を見苦しくすることなく、着用しているブラジャーが他人から見
られる虞れを解消することができる。
【考案を実施するための最良の形態】
【０００９】
以下、図面を用いて本考案の実施例について説明する。
【実施例１】
【００１０】
図１は本考案の実施例１の構成を示す斜視図であり、図２はその分解斜視図である。
【００１１】
図１および図２において、ＡはＴシャツであり、このＴシャツＡは、使用者の首を通す
上部開口部１１と使用者の腕を通す側部開口部１２とが形成されているシャツ部１０と、
このシャツ部１０の側部開口部１２の周縁部にその周縁部が縫合されている袖部１３とに
よって構成されている。
【００１２】
２０はＴシャツＡの内側に配設される布製のアンダーガードであり、このアンダーガー
ド２０には、ＴシャツＡの上部開口部１１と同型の上部開口部２１と、ＴシャツＡの側部
開口部１２と同型の側部開口部２２とが形成されている。また、アンダーガード２０の丈
（上下方向の長さ）は、その下端部がＴシャツＡのアンダーバスト部に位置するような丈
に選ばれている。
【００１３】
本実施例１においては、アンダーガード２０の下端部に、その開口部の周囲に沿って平
ゴムを配設することにより、伸縮自在な伸縮部２３が形成されている。
【００１４】
図１に示したように、アンダーガード２０の上部開口部２１の周縁部はＴシャツＡの上
部開口部１１の周縁部に縫合されており、アンダーガード２０の側部開口部２２の周縁部
はＴシャツＡの側部開口部１２の周縁部に縫合されている。
【００１５】
以上のように構成された本実施例１を使用者である女性Ｗが着用している状態を図３に
示す。
【００１６】
図３に示したように、本実施例１においては、アンダーガード２０が設けられているた
めに、使用者である女性Ｗのアンダーバスト部までが重ね着状態となり、着用しているブ
ラジャーが透けて見えるようなことはない。
【００１７】
また、アンダーガード２０の上部開口部２１の周縁部がＴシャツＡの上部開口部１１の
周縁部に縫合されているために、ＴシャツＡの首元からアンダーガード２０が露呈して見
苦しくなるようなことはない。
【００１８】
さらに本実施例１においては、アンダーガード２０の下端部に伸縮部２３が設けられて
おり、この伸縮部２３が女性Ｗのアンダーバスト部に密着するように構成されているため
に、図４に示したように脚立などに乗って高い位置で作業するような場合でも、アンダー
ガード２０によって下からの視線を遮ることができるので、下にいる他人Ｍの視線を気に
することなく作業をすることができる。
【００１９】
ここで、アンダーガード２０を構成する素材として、両面編みの所謂スムースを用いれ
ば、視線を遮る効果さらに高めることができる。
【００２０】
なお、本実施例１においては平ゴムを用いてアンダーガード２０の伸縮部２３を構成し
ているが、このような平ゴムを用いずに、伸縮性を有する伸縮性素材によってこの伸縮部
２３を構成してもよい。
【００２１】
本考案の範囲は、実施例１で示した半袖のＴシャツＡに限られるものではなく、例えば
長袖のＴシャツであってもよいし、袖の無い所謂タンクトップ型のシャツあるいは肩に掛
ける部分が紐状となっている所謂キャミソール型のシャツであってもよい。ここで、肩に
掛ける部分が紐状となっているキャミソール型のシャツの場合には、シャツの上部開口部
と側部開口部とがほぼ連続して形成されている状態となっているので、この紐状の部分は
アンダーガードにおいては省略することができる。
【図面の簡単な説明】
【００２２】
【図１】本考案の実施例１の構成を示す斜視図である。
【図２】本考案の実施例１の構成を示す分解斜視図である。
【図３】本考案の実施例１の使用状態の説明図である。
【図４】本考案の実施例１の使用状態の説明図である。
【図５】従来のＴシャツの説明図である。
【図６】従来のＴシャツの説明図である。
【図７】従来のＴシャツの説明図である。
【符号の説明】
【００２３】
１０  シャツ部
１１，１２  上部開口部
１２，２２  側部開口部
１３  袖部
２０  アンダーガード
２３  伸縮部
Ａ，Ｇ  Ｔシャツ
Ｂ  ブラジャー
Ｍ  他人
Ｗ  女性
【図１】
0003104140.tif 000003
【図２】
0003104140.tif 000004
【図３】
0003104140.tif 000005
【図４】
0003104140.tif 000006
【図５】
0003104140.tif 000007
【図６】
0003104140.tif 000008
【図７】
0003104140.tif 000009